(57)【要約】【課題】  液晶の無いフォトダイレクトプリンタにおいて、簡易に写真枠をカメラつき携帯電話で撮った画像と合成する。【解決手段】  複数の種類に分類された多数の写真枠情報をプリンタ側で蓄え、プリンタが保有しているバーコード情報を二次元バーコードとサムネイルを並べてプリントする。ユーザがサムネイルを見て所望の写真枠を選択し、対応する二次元バーコードを撮影する。すると、写真枠情報がカメラつき携帯電話に取り込まれ、画像合成が可能となる。【選択図】  図１
2007062170.tif 000002
【特許請求の範囲】
【請求項１】
予め記録装置が保持している枠（いわゆる写真枠）に関する情報を、サムネイル画像と二次元バーコードでプリントする
ことを特徴とする記録装置。
【請求項２】
前記記録装置が保持する写真枠の情報は、予め分類されている
ことを特徴とする請求項１に記載の記録装置。
【請求項３】
前記記録装置がプリントする二次元バーコードの１つとして、これをカメラ付携帯電話やデジタルカメラで撮影すると、カメラ付携帯電話やデジタルカメラに読み込まれ、表示される
ことを特徴とする請求項１又は、請求項２に記載の記録装置。
【請求項４】
前記記録装置がプリントする二次元バーコードは、表示画面に表示された写真枠に関し、カメラ付携帯電話やデジタルカメラ側で用紙サイズを変えるとそれに連動して縦横比も追従して変化するためのソフトウェアを含んでいる
ことを特徴とする請求項３に記載の記録装置。
【請求項５】
前記記録装置がプリントする二次元バーコードは、表示画面に表示された写真枠に関し、カメラ付携帯電話やデジタルカメラ側で写真枠の位置を変化させるためのソフトウェアを含んでいる
ことを特徴とする請求項３に記載の記録装置。
【請求項６】
前記写真枠は、ＰＣやメモリカードから拡張できる
ことを特徴とする請求項１〜請求項５のいずれかに記載の記録装置。
【請求項７】
請求項１〜請求項６のいずれかに記載の前記記録装置がプリントする二次元バーコードの１つとして、これをカメラ付携帯電話やデジタルカメラで撮影すると、内容を解釈して、カメラ付携帯電話やデジタルカメラで写真枠が合成可能となるソフトウェアを含んでいる
ことを特徴とする二次元バーコード。
【請求項８】
前記請求項１〜請求項６のいずれかに記載の特徴を、一部あるいはすべて備えた記録装置から出力される写真枠情報の二次元バーコードと、これを撮影し取り込むことにより、写真枠を元画像と合成できる機能を有したカメラ付携帯電話や、デジタルカメラを利用した、写真枠つき写真プリントシステム。
【発明の詳細な説明】
【技術分野】
【０００１】
本発明は、高度な表示のできない表示部を備えた低価格な記録装置において、カメラ付携帯電話や、デジタルカメラから画像を、ＰＣを介さずに印刷する場合の使用者の利便性に関するものである。
【背景技術】
【０００２】
近年カメラ付携帯電話の高機能化により、カメラ付携帯電話で撮影した画像でも写真並みの画質が得られるようになってきた。
【０００３】
それに伴い、これをパソコンと接続することなくプリントしたい、というユーザの要求が多くなってきている。
【０００４】
このような場合、たとえば写真枠をつける等の加工するには一般に以下の手段が考えられる。１つ目は携帯電話が予め持っている、または予め撮影しておいた写真枠を利用する手段であり、写真フィルムの場合については特開平１１−１８４０２１にて先行例がある。２つ目は一度加工したい画像をプリンタに転送し、プリンタ内で画像を加工する手段であり、大型の専用機に関して特開２００１−３０９１０６にて先行例がある。後者の場合、画像の確認は、プリンタ上の表示デバイス（カラー液晶）で行うか、安価なプリンタで表示デバイスがない場合は、テレビに接続して確認するか、加工した画像を再度カメラ付携帯に送り確認する必要がある。
【０００５】
また、スキャナつきプリンタにおいては特開２０００−１８４１７０に先行例がある。
【特許文献１】特開平１１−１８４０２１号公報
【特許文献２】特開２００１−３０９１０６号公報
【特許文献３】特開２０００−１８４１７０号公報
【発明の開示】
【発明が解決しようとする課題】
【０００６】
前記従来例において、前者の携帯電話が予め持っている写真枠を利用する手段では、選択できる写真枠の種類が少ないという問題点があり、後者の安価なプリンタにおける、加工した画像を再度カメラ付携帯に送り確認する手段では、プリンタから携帯電話に画像を再送する必要がある。現在、プリンタから携帯電話にデータを転送する手段として、赤外線通信が一般的だが、転送速度が遅いという問題点があった。
【０００７】
また、表示デバイスを持つプリンタは、おおむね価格が高いという問題点がある。
【０００８】
また、テレビに接続する手間がわずらわしいと感じるユーザも多い。
【課題を解決するための手段】
【０００９】
本発明は、かかる問題に対処すべく、複数の種類に分類された多数の写真枠情報をプリンタ側で蓄え、これをサムネイル画像と二次元バーコードで印刷する。ユーザが好みの写真枠を選択したら、その写真枠用の二次元バーコードを撮影することにより、写真枠の情報を携帯電話またはデジタルカメラに取り込み、元の画像と合成して表示する、というものである。
【発明の効果】
【００１０】
分類された写真枠等の情報をサムネイルと二次元バーコードで印刷し、これをユーザが選択し二次元バーコードをカメラ付携帯等で撮影すると、撮影した画像と写真枠を手軽に合成可能となる手段を提供することにより、画像表示素子が搭載されていない安価なプリンタにおいても、画像加工を容易に行うことが可能となる。
【発明を実施するための最良の形態】
【００１１】
次に、本発明の詳細を実施例の記述に従って説明する。
【実施例１】
【００１２】
図１は本発明を適用するに適したインクジェットプリンタの制御回路を示すブロック図である。図１において、３２は例えば、携帯電話やホストコンピュータなどの外部装置１７０から記録信号を入力するインターフェース、２１はＭＰＵ、２４はＭＰＵ２１が実行する制御プログラム（必要によっては文字フォントを含む）を格納するＲＯＭ、２３は各種データ（上記記録信号やヘッドに供給される記録データ等）を一時的に保存しておくＲＡＭである。２２は記録ヘッド１０２に対する記録制御を行うデータ処理回路であり、インターフェース３２、ＭＰＵ２１、ＲＡＭ２３のデータ転送制御も行う。７１は記録ヘッド１０２を主走査方向に移動させるためのキャリアモータ、７０は記録用紙搬送のための搬送モータである。４２はそれぞれ搬送モータ７０、キャリアモータ７１を駆動するためのモータドライバである。
【００１３】
上記制御回路の動作概要を説明すると、インターフェース３２に記録信号が入ると、ＭＰＵ２１はデータ処理回路２２、ＲＡＭ２３を使用し、記録信号をプリント用の記録データに変換する。そして、モータドライバ４２が駆動されると共に、記録ヘッド１０２に送られた記録データに従って記録ヘッドが駆動され、記録動作が行われる。図３では不図示だが、操作パネルが用意されている。この上には操作キー３０とＬＥＤ３６が用意されている。操作キー３０には記録装置のオン／オフキー、紙なし等で中断した記録動作を再開するためのレジュームキーなどがあり、３６のＬＥＤには、パワーオン／ビジー用とエラー用がある。
【００１４】
本発明においては、カメラ付携帯電話とのインターフェース３２として赤外線通信を考えている。
【００１５】
図２は、写真枠の分類例を示した図である。
【００１６】
大項目として、シンプル、ポートレート１人用、ポートレート２人用、風景等があり、さらにその内部に複数個のサンプルが用意されている。ユーザが写真枠一覧をプリントさせると、この大項目に分類された写真枠のサムネイルが適切なレイアウトで印刷される。
【００１７】
本発明における操作手順は以下のとおりである。
【００１８】
まず、ユーザは写真枠を画像と合成するアプリケーションを埋め込んだ二次元バーコードを撮影する。このバーコードは、プリンタのキー操作によって印刷されるか、ユーザマニュアルに予め印刷されていても良い。二次元バーコード内に含まれたソフトウエアによって、写真枠と写真画像とを合成するアプリケーションが起動する。
【００１９】
次にユーザは、予め撮影しておいた画像の中からプリントしたい画像を選ぶ。
【００２０】
その後ユーザは、適切なレイアウトで印刷された写真枠のサムネイルを見ながら希望の写真枠を選択する。選択した写真枠に対応した二次元バーコードをカメラ付携帯電話で撮影する。すると元画像上に写真枠を合成される。
【００２１】
この写真枠は、印刷用紙に対応した縦横比でデフォルトは元画像いっぱいに写るように合成される。この後ユーザは、携帯電話の十字キー等を利用して、写真枠の位置をずらしたり、大きさを変えたりする。写真枠ではなくせりふ等を合成する場合は、印刷範囲を示す枠とせりふ画像が合成される。この場合印刷範囲とせりふ等は、別々に位置や大きさを変えられると良い。
【００２２】
最後に印刷枚数をセットし印刷開始ボタンに相当するキーを押すと、その写真枠が用紙いっぱいになるように拡大された画像データを合成し、プリンタへ転送する。
【００２３】
このようにして写真枠が合成された画像を得ることができる。
【００２４】
図３は本発明を適用するに適したインクジェットプリンタの外観斜視図である。このインクジェットプリンタは、カラープリント、白黒モノカラープリントの両方が可能な構成を示しているが、白黒モノカラープリント専用装置として考える場合には、以下の説明で示すブラックインクを収容したインクカートリッジのみを記録ヘッドに装着した構成となる。
【００２５】
図３に示すように、キャリッジ１０１上にはブラック、カラー用にそれぞれ複数個ずつのノズルを有したマルチノズルの記録ヘッド１０２とカートリッジガイド１０３とが搭載されており、記録ヘッド１０２はブラック（K）のインク、或いは、シアン（C）、マゼンタ（M）、イエロー（Y）のインクをそれぞれ吐出する。プリンタ動作時、記録ヘッド１０２にはブラックインクを収容したインクカートリッジ１１０と他の３色のインクを収容したインクカートリッジ１１１が装着されている。そして、それぞれのインクカートリッジからシアン（C）、マゼンタ（M）、イエロー（Y）、ブラック（K）のインクが供給される。また、多数の導線を配列したフレキシブルケーブル（不図示）を介して記録ヘッド各ノズルの駆動信号が供給される。
【００２６】
一方、キャリッジ１０１は２本のガイドレール１０４〜１０５上に搭載されており、キャリッジ１０１に連結した無端ベルト１０９をキャリアモータ（後述）で駆動することによりキャリッジ１０１をX方向（以下、このX方向を主走査方向という）に往復走行させる。また、搬送ローラ１０８は搬送モータ（後述）によって駆動され、記録用紙１０６をY方向（以下、このY方向を副走査方向という）に搬送する。
【００２７】
本実施例は、カメラ付携帯について記述しているが、これに限ることなく、デジタルカメラ等の、画像読み取り機能が付いている電子撮影デバイスに容易に当てはめることが可能であることはいうまでもない。
【００２８】
また、元画像と写真枠を合成するソフトウェアも二次元バーコードの読み取りで行っているが、これに限らず、カメラ付携帯電話に内蔵されていても良いし、メーカのサーバからダウンロードできても良い。
【実施例２】
【００２９】
実施例１では写真枠等の情報はプリンタ本体に内蔵されていたが、これに限らず後からサンプルを追加できるようにしても良い。
【００３０】
カメラ付携帯電話やデジカメ等からＰＣを介さずに画像が印刷できるプリンタには、たいていメモリカードスロットが備わっている。そこで、ここから写真枠の情報を追加できるようにしても良い。
【００３１】
こうすればたとえば、年賀状用の干支をあとから拡張してユーザに手軽に年賀状を作成してもらうことも可能になる。
【図面の簡単な説明】
【００３２】
【図１】本発明を適用するに適したインクジェットプリンタの制御回路を示す。
【図２】本発明において、印刷された二次元バーコードを、ユーザがカメラ付携帯電話で撮影した場合に、携帯電話の画面に表示させる内容の例を示した図である。
【図３】本発明を適用するに適したインクジェットプリンタの外観斜視図である。
【符号の説明】
【００３３】
２１  ＣＰＵ
２２  データ処理回路
２３  メモリ
３２  インターフェース
【図１】
2007062170.tif 000003
【図２】
2007062170.tif 000004
【図３】
2007062170.tif 000005